(57)【要約】【課題】携帯電話端末の表示画面の限られたスペースを有効に利用しつつ、未読の受信メールの内容などのユーザに報知するために表示すべき情報を、ユーザによる所定の操作を経なくても、自動的に表示画面に表示することができるようにする。【解決手段】ユーザに報知するために表示すべき情報を、表示画面の一部のピクト表示エリアに、スクロール表示すると共に、ピクト表示エリアに表示すべきピクト表示は、スクロール表示する情報に挿入して表示する。【選択図】図９
2008042698.tif 000002
【特許請求の範囲】
【請求項１】
ユーザに報知するために表示すべき情報を、表示画面の一部のピクト表示エリアに、スクロール表示すると共に、前記ピクト表示エリアに表示すべきピクト表示は、前記スクロール表示する前記情報に挿入して表示する
ことを特徴とする携帯電話端末における表示方法。
【請求項２】
請求項１に記載の携帯電話端末における表示方法において、
前記ピクト表示エリアに通常表示すべきピクト表示が複数個あるときには、それら複数個のピクト表示を幾つかに分けて、所定間隔で前記スクロール表示する前記情報に挿入して表示する
ことを特徴とする携帯電話端末における表示方法。
【請求項３】
請求項１に記載の携帯電話端末における表示方法において、
前記ピクト表示エリアに通常表示すべきピクト表示が複数個あるときには、それら複数個のピクト表示の中から選択した所定のピクト表示を、前記スクロール表示する情報に挿入する
ことを特徴とする携帯電話端末における表示方法。
【請求項４】
請求項１に記載の携帯電話端末における表示方法において、
前記ユーザに報知するために表示すべき情報は、受信した電子メールの情報であり、
前記電子メールの受信時に前記ピクト表示エリアに前記スクロール表示を行なう
ことを特徴とする携帯電話端末における表示方法。
【請求項５】
請求項１に記載の携帯電話端末における表示方法において、
前記ユーザに報知するために表示すべき情報は、受信した電子メールの情報であり、
所定のユーザ操作があったときに、前記ピクト表示エリアに前記スクロール表示を行なう
ことを特徴とする携帯電話端末における表示方法。
【請求項６】
請求項２または請求項３に記載の携帯電話端末における表示方法において、
前記ユーザに報知するために表示すべき情報は、受信した電子メールの情報であり、
前記受信した電子メールが複数個あるときには、電子メールの内容の表示終了時と、次の電子メールの内容の表示開始時との間においては、前記ピクト表示エリアに通常表示されるピクト表示のすべてを表示する
ことを特徴とする携帯電話端末における表示方法。
【請求項７】
請求項４に記載の携帯電話端末における表示方法において、
前記電子メールの受信時に、ユーザが前記携帯電話端末を使用中か否かを判別し、前記使用中であると判別したときに、前記ピクト表示エリアにおいて前記スクロール表示を行なう
ことを特徴とする携帯電話端末における表示方法。
【請求項８】
請求項４に記載の携帯電話端末における表示方法において、
前記電子メールの受信時に、ユーザが前記携帯電話端末に対して操作をしたか否かを判別し、前記操作をしたと判別したときに、前記ピクト表示エリアにおいて前記スクロール表示を行なう
ことを特徴とする携帯電話端末における表示方法。
【請求項９】
請求項４または請求項５に記載の携帯電話端末における表示方法において、
前記受信した電子メールに対して、前記携帯電話端末において差出元に関する秘匿性の設定がなされているときには、前記ピクト表示エリアにおいて前記スクロール表示を行なわない
ことを特徴とする携帯電話端末における表示方法。
【請求項１０】
表示画面の一部にピクト表示エリアを備える表示部と、
ユーザに報知するために表示すべき情報を、前記ピクト表示エリアに、スクロール表示すると共に、前記ピクト表示エリアに表示すべきピクト表示は、前記スクロール表示する前記情報に挿入して、前記表示部に表示するように制御する制御手段と
を備えることを特徴とする携帯電話端末。
【発明の詳細な説明】
【技術分野】
【０００１】
この発明は、携帯電話端末および携帯電話端末における表示方法に関し、特に、携帯電話端末の表示画面を効率よく使用する技術に関する。
【背景技術】
【０００２】
電子メールの送受信機能を備える携帯電話端末では、待ち受け状態で電子メールを受信すると、当該受信した電子メールをメモリに記憶すると共に、当該携帯電話端末の使用者（以下、ユーザという）に、着信音や振動などにより、電子メール着信の通知（報知）をする。そして、表示画面には、未読メールがあることを表示してユーザに報知するようにする。
【０００３】
ユーザは、受信した電子メールの内容を見たい場合には、携帯電話端末を、受信した電子メールを表示画面に表示するモードにし、メール一覧を表示して、その一覧中から、自分が見たい電子メールを選択操作する。すると、選択された電子メールの内容、つまり、電子メールの差出元（差出人）、件名、電子メール本文が、表示画面に表示される。そして、選択操作されて電子メールの内容が表示された電子メールは、既読メールとなり、表示画面中の未読メール有りの表示は消える。
【０００４】
このように、従来の携帯電話端末においては、電子メールを受信したときにその内容を即座に見ることはできず、受信した電子メールを表示画面に表示することができるモードを起動して、電子メールの内容を閲覧するようにしている。
【０００５】
この問題点を解決したものとして、特許文献１（特開２００３−１５０５０６号公報）には、表示画面の一部に電子メールの内容を表示するメール表示領域を設け、電子メールの受信時に、ユーザによるメールを表示させるための操作を経なくても、受信した電子メールの内容を順次、自動的に表示するようにする発明が提案されている。
【０００６】
そして、この特許文献１の発明においては、電子メールの受信時のみではなく、例えばユーザが所定のボタン操作をしたり、携帯電話端末が折りたたみ式である場合に、ユーザが折りたたみ状態から開く操作をしたりするなどの所定のユーザ操作をしたときにも、再度、表示画面の電子メール表示領域に、自動的に、未読の電子メールの内容を表示するようにすることが記載されている。
【０００７】
上記の特許文献は、次の通りである。
【特許文献１】特開２００３−１５０５０６号公報
【発明の開示】
【発明が解決しようとする課題】
【０００８】
しかしながら、上述の特許文献１で提案されている発明においては、携帯電話端末の表示画面の限られたスペースに電子メールの内容を表示するためのメール表示領域を設けなければならず、表示画面の利用効率が悪くなるおそれがある。
【０００９】
また、表示画面の利用効率を考え、表示画面に設けたメール表示領域には、電子メールを受信していないときには、他の必要な表示をしておき、電子メールを受信したときや、前記所定のユーザ操作があったときに、それまでの表示を消して、電子メールの内容を表示することも考えられる。
【００１０】
しかし、それでは、受信した電子メールの内容を表示している間は、その電子メール表示領域で、通常表示されている必要な表示を、ユーザが見ることができなくなってしまうという問題が生じる。
【００１１】
この発明は、以上の点にかんがみ、携帯電話端末の表示画面の限られたスペースを有効に利用しつつ、未読の受信メールの内容などのユーザに報知するために表示すべき情報を、ユーザによる所定の操作を経なくても、自動的に表示画面に表示することができるようにすることを目的とする。
【課題を解決するための手段】
【００１２】
上記の課題を解決するために、この発明による携帯電話端末における表示方法においては、
ユーザに報知するために表示すべき情報を、表示画面の一部のピクト表示エリアに、スクロール表示すると共に、前記ピクト表示エリアに表示すべきピクト表示は、前記スクロール表示する前記情報に挿入して表示することを特徴とする。
【００１３】
この実施形態においては、ピクト表示エリアを、ユーザに報知するために表示すべき情報の表示用エリアとしても用いる。この実施形態では、ユーザに報知するために表示すべき情報は、例えば受信した電子メールの内容としている。そして、受信した電子メールの内容などの情報は、ピクト表示エリアにスクロール表示されると共に、ピクト表示エリアに表示すべきピクト表示は、スクロール表示する情報に挿入されて表示される。
【００１４】
この発明によれば、未読の受信メールの内容などのユーザに報知するために表示すべき情報を、ユーザによる所定の操作を経なくても、自動的に表示画面のピクト表示エリアに表示することができる。
【００１５】
そして、ピクト表示エリアを用いるので、表示画面の表示領域が有効に利用され、かつ、当該ピクト表示エリアに表示すべきピクト表示自身は、電子メールの内容などの情報の表示時においても、表示されることになるので、それを見ることができなくなってしまうということを回避できる。
【発明の効果】
【００１６】
この発明によれば、ピクト表示エリアを用いるので、表示画面の表示領域が有効に利用され、かつ、ピクト表示自身は、電子メールの内容などの情報の表示時においても、表示されることになるので、それが見られなくなってしまうということは無いという効果を奏する。
【発明を実施するための最良の形態】
【００１７】
以下、この発明による携帯電話端末の実施形態およびその表示方法の実施形態について、図を参照しながら説明する。
【００１８】
[実施形態の携帯電話端末のハードウエア構成例]
図１に示すように、この実施形態の携帯電話端末１０は、マイクロコンピュータを搭載して構成されている制御部１に対して、通信部２と、音声信号処理部３と、操作部４と、表示制御部５と、メモリ部６と、ラジオ受信部７と、カメラ機能部８と、時刻および年月日を計測する時計部９と、メモリカードインターフェース（インターフェースは図ではＩ／Ｆと記述）１１とが接続されて構成されている。
【００１９】
音声信号処理部３には、送受器１２が接続されている。送受器１２は、送話用音声収音用のマイクロホンおよび受話音声再生用スピーカを備える。音声信号処理部３は、送信信号および受信信号の処理部を備え、操作部４を通じたユーザの操作入力に応じた制御部１からの制御に応じて、電話通信やメール通信、さらには、インターネットを通じたアクセスやデータダウンロードなどを実行する。
【００２０】
表示制御部５には、例えばＬＣＤ（Ｌｉｑｕｉｄ  Ｃｒｙｓｔａｌ  Ｄｉｓｐｌａｙ）などからなる表示部１３が接続されている。表示制御部５は、表示部１３の表示画面に表示する表示データを、制御部１の制御を受けながら生成する。表示部１３の表示画面１３Ｄには、後述するように、電解強度、電池残量、日時、メモリカードが端末１０に装填されているかなど、ユーザが携帯電話端末を使用するために常に知っておきたい端末１０の使用環境の状態（ステータス）などを表示するための領域１３１が、例えば図２に示すように、全表示画面領域のうちの一部に設けられている。
【００２１】
この領域１３１は、一般に、ピクト表示エリア（ピクト表示行）と呼ばれており、前記のステータスがグラフィックス表示される。このグラフィックス表示のそれぞれを、この明細書では、ピクト表示と呼ぶことにする。図２の例においては、ピクト表示としては、電池残量表示２１と、電解強度表示２２と、メモリカードが装填されているかのカード装填確認表示２３と、日時表示（曜日を含む）２４とが、ピクト表示エリア１３１に表示されている。
【００２２】
なお、表示部１３の表示画面１３Ｄの、ピクト表示エリア１３１以外の主表示エリア１３２には、例えば、携帯電話の待ち受け表示、電話番号表示のほか、受信したテレビ放送画面の表示、撮影した静止画や動画の表示が、制御部１の制御の下になされる。
【００２３】
表示部１３は、前述したように、この例ではＬＣＤからなっており、バックライトを備える。制御部１は、バックライトが消灯している状態において、ユーザにより操作部４を通じて何らかの操作がなされたことを検出すると、バックライトを点灯して、表示画面を明るくする。また、携帯電話端末１０が折りたたみ式の場合には、折りたたまれた状態から、開かれたときには、ユーザが使用を開始したと判断して、制御部１は、同様にバックライトを点灯して、表示画面を明るくする。
【００２４】
携帯電話端末１０が折りたたみ式の場合において、折りたたまれた状態から開かれた状態およびその逆を検知する構成は、センサーやスイッチを用いた構成など周知のものを使用することが可能であるので、ここではその詳細な説明は省略する。
【００２５】
ユーザは、表示画面が、バックライトが点灯されて明るく表示されている状態で、電話番号を入力して電話をかけたり、送信する電子メールを作成したり、その他、種々の操作を行なうようにする。
【００２６】
一般的には、携帯電話端末１０の電池消費を削減するために、ユーザによる操作部４を通じた操作が何も無い状態が、例えばユーザにより設定可能な所定時間、例えば１５秒や３０秒継続したときには、制御部１は、バックライトを消灯する。また、ユーザが携帯電話端末の使用を停止して、開いた状態から折りたたむようにした場合も、バックライトを消灯する。ただし、カメラ機能部８が起動されているときには、表示部１３の表示画面は、電子ビューファインダーの働きをしており、このため、制御部１は、当該カメラ機能部８が起動している間は、常時、バックライトを点灯している状態に制御する。
【００２７】
また、この実施形態の携帯電話端末では搭載していないが、テレビ放送受信機能を備える携帯電話端末の場合であって、当該テレビ放送受信機能を起動しているときには、上述のカメラ機能と同様に、常時バックライトを点灯する。
【００２８】
以上のことから、バックライトが点灯している間は、少なくともユーザが携帯電話端末１０を使用中であると言える。
【００２９】
通信部２は、携帯電話機能や電子メール機能を実現するための機能部であり、制御部１を通じて送信データ（電話通信データ、電子メールデータおよびインターネットに送信されるデータ）がこの通信部２を通じて携帯電話網に送出される。また、この通信部２において、携帯電話網を通じて受信された受信データ（電話通信データ、電子メールデータおよびインターネットを通じてダウンロードされるデータ）は、制御部１に供給され、電話通信データは、音声信号処理部３に供給され、また、電子メールデータやダウンロードデータは、制御メモリ部６に格納されると共に、表示制御部５を通じて表示部１２の表示画面に表示される。
【００３０】
操作部４は、通信用のオンフックキー、オフフックキーおよびテンキー、メニューキー、十字型キー、ファンクションキーなどを備える。
【００３１】
メモリ部６には、受信した電子メールのデータや、カメラ撮影された撮像画像データなどが、制御部１を通じて記憶される。
【００３２】
ラジオ受信機能部７は、この例では、ＦＭラジオ放送を受信する機能部で、電話や電子メールなどの通信機能以外の付加機能の部分である。このラジオ受信機能部７は、ユーザが例えば機能一覧メニューからラジオ受信機能を選択したときに、制御部１からの制御により、その機能を起動する。
【００３３】
なお、図３に示すように、携帯電話端末１０において、ラジオ受信機能部７が起動したときには、この実施形態では、ピクト表示エリア１３１には、例えば、受信周波数が変更された後の所定時間、例えば５秒間、ラジオ受信機能が起動中であることを示す「ＦＭ」受信表示２５と、受信周波数表示２６などが、ピクト表示として表示されている。
【００３４】
図３に示したように、この実施形態では、ＦＭラジオ受信モードにおいては、ピクト表示エリア１３１のスペースの関係上、電池残量表示２１、電解強度表示２２、カード装填確認表示２３、日時表示２４などは表示されないものとされているが、これらのうち、主要なもの例えば電池残量表示２１と電解強度表示２２とを併せて表示しても良いし、スペースがあれば、それらのすべてを表示しても勿論良い。
【００３５】
また、カメラ機能部８は、静止画や動画を撮影して保存することができる機能を備える部分である。ユーザにより、保存指示された撮像画像情報は、この例では、前述したように、メモリ部６に格納される。このカメラ機能も付加機能であり、ユーザが例えば機能一覧メニューからカメラ機能を選択したときに、制御部１からの制御により、その機能を起動する。
【００３６】
時計部９は、何月日のカレンダーおよび時刻を計測するためのもので、計測された年月日および時刻の情報は、制御部１に供給される。この実施形態の携帯電話端末１０では、表示画面１３Ｄに、それら年、月、日、時刻、を表示することが可能である。そして、前述したように、特に、この実施形態の携帯電話端末１０では、前述したように、ピクト表示の一つとしての日時表示２４が、ピクト表示欄１３１に表示されるように構成されている。なお、この実施形態においては、日時のピクト表示は、１分単位で更新されるようにされている。
【００３７】
メモリカードインターフェース１１は、制御部１と、メモリカード１４とのデータのやり取りを行なうためのもので、メモリカード１４に対するデータの書き込みおよびメモリカードからのデータの読み出しを行なう機能部である。また、メモリカード１４が、カード装填部（図示は省略）に装填されると、メモリカードインターフェース１１を通じて、メモリカード１４が携帯電話端末１０に装填されたことが制御部１に伝達される。制御部１は、メモリカード１４が携帯電話端末１０に装填されている間は、ピクト表示エリア１３１に、図２に示したようなカード装填確認表示２３を表示して、ユーザにそのことを報知する。
【００３８】
制御部１は、上述のように、ＣＰＵ（Ｃｅｎｔｒａｌ  Ｐｒｏｃｅｓｓｉｎｇ  Ｕｎｉｔ）、プログラムが記憶されたメモリと、ワークエリアのメモリとを備えるマイクロコンピュータを備えて構成されており、上述の各部を制御する。
【００３９】
なお、携帯電話端末１０は、上述した付加機能のほか、例えば電卓機能、アラーム機能、スケジュール管理機能、などをも付加機能として備えているが、それらは、制御部１のマイクロコンピュータのソフトウエア機能として実現されている。
【００４０】
そして、この実施形態の携帯電話端末１０では、ユーザに報知するために表示すべき情報の例として、受信した電子メールが想定され、受信した電子メールを、ユーザの操作を経ることなく、ピクト表示エリアに表示するようにする。
【００４１】
［この実施形態の電子メールの受信機能］
この実施形態の携帯電話端末１０においても、一般的な携帯電話端末と同様の電子メールの受信機能および閲覧機能を備える。すなわち、携帯電話端末１０では、携帯電話網を通じて、自端末宛の電子メールを受信すると、当該電子メールの受信があったことを、着信音により、あるいはマナーモードにおいては、振動などにより、ユーザに報知すると共に、受信した電子メールをメモリ部６の受信メール格納エリアに格納する。そして、未読メールがあることを、表示部１３の画面に表示したりして、ユーザに報知する。
【００４２】
ユーザは、受信した電子メールを閲覧する場合には、操作部４を通じて、メモリ部６の受信メール格納エリアに格納されている電子メールの閲覧機能を起動させる操作入力をする。すると、制御部１は、表示部１３に受信した電子メールの一覧を、未読か既読かが判別可能の状態で表示する。そこで、ユーザが、未読の電子メールを選択すれば、新規に受信した電子メールの閲覧が可能であり、既読の電子メールを選択すれば、一度閲覧した電子メールを再度閲覧することができる。
【００４３】
また、この実施形態の携帯電話端末では、受信した電子メールを、差出元（差出人）のアドレスや送信者名（差出人名）などに基づいて、自動的に異なる受信フォルダに振り分けることができる機能を備えている。ユーザは、携帯電話端末１０の電子メールのフォルダ振り分けの設定メニューを選択して、それぞれの受信フォルダに振り分ける電子メールの差出元に関するアドレスや差出人名などの設定を、予め行なうことができるようにされている。
【００４４】
そして、その際に、他人には電子メールを見せたくない場合には、フォルダにロックをかけることができるように構成されている。このフォルダのロックの設定には、暗証番号の入力や指紋、脈、虹彩などの個人認証のための入力処理を伴い、当該入力された個人認証のための入力情報がされない場合には、当該受信フォルダが、開けず、当該フォルダ内の受信メールが閲覧できないようにしている。
【００４５】
以上のような電子メールに関する機能のほかに、この実施形態では、電子メールの受信時に、ユーザのなんらの操作を経ることなく、ピクト表示エリアに当該受信した電子メールの内容を表示する機能を備える。
【００４６】
そして、この実施形態では、特に、ユーザが携帯電話端末１０を使用していると判断できるときには、電子メールの受信時に、ユーザのなんらの操作を経ることなく、ピクト表示エリアに当該受信した電子メールの内容を表示する。また、ユーザが電子メールの受信時のメール着信通知（報知）に対して、何らかの操作をしたときにも、ピクト表示エリア１３１に当該受信した電子メールの内容を表示する。
【００４７】
ここで、ユーザが携帯電話端末１０を使用していると判断できるときとは、この実施形態では、以下のようなときとしている。すなわち、
（１）バックライトが点灯しているとき
（２）ラジオ受信機能部７やカメラ機能部８などの付加機能が起動中であるとき
（３）その他の付加機能（制御部１のソフトウエアアプリケーション）が起動しているとき
（４）携帯電話端末１０が電源オンのまま、クレードルに載置されて充電中のとき
（５）電子メールの送信文の作成中
（６）電子メールの受信文の閲覧中
（７）テレビ電話の使用中（テレビ電話用のアプリケーションの起動中）
（８）ハンズフリーで電話通話中
などである。
【００４８】
上記（１）〜（８）のいずれの場合においても、制御部１が各状態を認識しており、その状態で電子メールを受信したときに、制御部１が表示制御部５を制御して、ピクト表示エリア１３１を利用して、受信した電子メールの内容を表示するようにする。なお、上記（４）〜（８）の状態は、制御部１が、対応するアプリケーションプログラムを起動中である認識することが可能であるので、使用中であることを制御部１が認識することができる。
【００４９】
この場合にピクト表示エリア１３１は、表示スペースが少ないので、受信した電子メールの内容はスクロール表示すると共に、ピクト表示エリア１３１に表示すべきピクト表示は、当該スクロールする電子メールの内容中に挿入して表示して、ピクチャ表示がユーザに提供されない状態を避けるようにしている。
【００５０】
一方、ユーザが使用していない状況に携帯電話端末があると判断されるときには、受信した電子メールをピクト表示エリア１３１に、上述と同様にして、表示すべきピクト表示を挿入してスクロール表示するようにしても良いが、電池の無駄な消費を避ける意味でも、無駄な表示処理を避けるようにするため、この実施形態では、ピクト表示エリア１３１を用いた受信電子メールの表示処理は行わない。
【００５１】
そして、このときには、受信した電子メールは不在受信によりメモリ部６に記録したことを示す不在記録のフラグを記録するようにする。
【００５２】
そして、ユーザが、その後、携帯電話端末１０を、折りたたんだ状態から開く操作をしたりして、何らかの使用開始に関連するユーザ操作をしたときに、制御部１は、前記不在記録のフラグが立っている受信電子メールの内容は、ピクト表示エリア１３１に、上述と同様にして、ピクト表示エリア１３１に表示すべきピクト表示は当該スクロールする電子メールの内容中に挿入してスクロール表示するようにする。
【００５３】
しかしながら、受信した電子メールの差出元に関して、フォルダが振り分け設定がされていて、しかも、当該フォルダがロックオン（ロックがかかっている状態）の設定がなされていることを制御部１が検知したときには、この実施形態では、電子メールの受信時および後の時点における不在記録のフラグに基づくピクト表示エリア１３１へのスクロール表示は、実行しないようにする。これは、他人には見せたくない電子メールに関する秘匿性を保持するためである。
【００５４】
また、この実施形態では、電子メール受信時におけるピクト表示エリア１３１へのスクロール表示は、メール内容までも表示されるので、当該ピクト表示エリア１３１での電子メール受信時の表示を行うか否かを、ユーザが選択設定することができるように構成されている。
【００５５】
すなわち、ユーザは、ピクト表示エリア１３１での電子メール受信時の表示を行うときには、電子メールの受信時表示「オン」に設定し、ピクト表示エリア１３１での電子メール受信時の表示を行わないときには、電子メールの受信時表示「オフ」に設定するようにする。制御部１は、この電子メールの受信時表示の設定が「オン」であれば、ピクト表示エリア１３１での電子メール受信時の表示を実行し、電子メールの受信時表示の設定が「オフ」であれば、ピクト表示エリア１３１での電子メール受信時の表示を実行しない。
【００５６】
［電子メールの受信時の処理のフローチャート］
次に、上述した携帯電話端末１０における電子メール受信時の処理動作の詳細のフローチャートを、図４を参照して説明する。この図４のフローチャートの各ステップの処理は、制御部１が実行するものである。
【００５７】
制御部１は、まず、電子メールを受信したか否か判別し（ステップＳ１０１）、電子メールを受信してはいないと判別したときには、電子メールの受信処理以外の、必要なその他の処理を実行する（ステップＳ１０２）。
【００５８】
ステップＳ１０１で、電子メールを受信したと判別したときには、制御部１は、当該受信した電子メールについてメール受信処理をして、メモリ部６に保存する（ステップＳ１０３）。このメール受信処理には、前述したメール振り分け処理を含み、差出元が振り分け条件に合致していれば、受信された電子メールは、予め設定指定されたフォルダに振り分けられて、メモリ部６に保存される。
【００５９】
そして、制御部１は、着信音を鳴らしたり、端末本体を振動させたりして、ユーザにメール受信を報せる（ステップＳ１０４）。
【００６０】
その後、制御部１は、ユーザの操作イベントを判断（ユーザ操作があるか否か監視）して（ステップＳ１０５）、ユーザによる何等かの操作があったか否か判別する（ステップＳ１０６）。このとき判別する操作には、操作部４を通じたユーザ操作のほか、携帯電話端末１０を折りたたみ状態から開く操作も含むものである。このステップＳ１０６で、ユーザから何等かの操作があったと判別したときには、着信音の鳴動や端末本体の振動を停止する（ステップＳ１０７）。
【００６１】
そして、電子メールの受信時表示の設定が「オン」であるか「オフ」であるかを判別する（図５のステップＳ１１１）。このステップＳ１１１で、電子メールの受信時表示の設定が「オフ」であると判別すると、制御部１は、そのままこの処理ルーチンを抜ける。
【００６２】
また、ステップＳ１１１で、電子メールの受信時表示の設定が「オン」であると判別すると、制御部１は、受信した電子メールが振り分け条件に該当したものであるか否か判別する（ステップＳ１１２）。
【００６３】
ステップＳ１１２で、振り分け条件に該当していると判別したときには、制御部１は、振り分け先として設定指定されているフォルダについてロックオン指定されているか否か判別する（ステップＳ１１３）。ステップＳ１１３で、振り分け先のフォルダについてロックオン指定されていると判別したときには、制御部１は、受信した電子メールのピクト表示エリア１３１を用いた表示はこの時点では行なわないと決定して、この電子メール受信処理ルーチンを終了する。
【００６４】
また、ステップＳ１１２で、受信した電子メールが振り分け条件に該当してはいないと判別したとき、また、ステップＳ１１３で、受信した電子メールが振り分け条件に該当してはいても、フォルダについてロックオン指定されていないときには、受信した電子メールの内容を、ピクト表示エリア１３１を用いて表示するようにする（ステップＳ１１４）。そして、ピクト表示エリア１３１への表示を終了すると、この電子メール受信処理ルーチンを終了する。
【００６５】
また、ステップＳ１０６で、ユーザから何等の操作も無いと判別したときには、制御部１は、設定されている所定時間（タイムアウト時間）経過後、着信音の鳴動や端末本体の振動を停止し（ステップＳ１０８）、その後、ユーザが携帯電話端末１０を使用中であるか否かを、この実施形態では、携帯電話端末１０が上述した（１）〜（８）の状態になっているかどうかを判別することにより、判別する（ステップＳ１０９）。
【００６６】
ユーザが使用中であると判別したときには、制御部１は、ステップＳ１０９から図５のステップＳ１１１に移行し、前述したステップＳ１１１以降の処理を繰り返す。すなわち、この実施形態では、ステップＳ１０９で、ユーザが携帯電話端末１０を使用中であると判別したときには、ユーザが操作をしなくても、表示画面１３Ｄを見ている、あるいは電子メールの着信報知に応じて表示画面１３Ｄを見る可能性が高いとして、ユーザが操作したときと同様にして、受信した電子メールのピクト表示エリア１３１での表示制御を行なうようにすることができるものである。
【００６７】
そして、ステップＳ１０９で、ユーザが使用中でないと判別したときには、制御部１は、電子メールの不在受信を示す情報（以下、この情報を不在記録情報という）を、メモリ部６の所定の記憶エリアに格納する（ステップＳ１１０）。この不在記録情報は、後で、不在状態における電子メールの受信があったことをユーザに知らせるための情報として用いられるものである。このステップＳ１１０の後は、受信した電子メールのピクト表示エリア１３１への表示は行なわずに、そのまま、この電子メールの受信処理ルーチンを終了する。
【００６８】
この実施形態では、ステップＳ１１０で、不在記録情報がメモリ部６に記憶されたときには、その後、ユーザが何等かの操作（操作部４を通じて操作のみではなく、折りたたみ式の携帯電話端末の場合の折りたたみ状態から開く操作も含む）をすると、当該操作を検知した制御部１は、不在記録情報に基づいて、不在受信した電子メールの内容を、自動的にピクト表示エリア１３１に表示するようにする処理を実行する。
【００６９】
このユーザ操作に基づく不在記録された電子メールの表示処理のフローチャートを図６に示す。すなわち、制御部１は、ユーザの操作イベントを判断（監視）して（ステップＳ２０１）、ユーザから何等かの操作があったか否か判別する（ステップＳ２０２）。このステップＳ２０２で、ステップＳ１０６で、ユーザから何等の操作も無いと判別したときには、制御部１は、そのままこの処理ルーチンを抜ける。
【００７０】
また、ステップＳ２０２で、ユーザから何等かの操作があったと判別したときには、不在記録情報があるか否か判別する（ステップＳ２０３）。このステップＳ２０３で、不在記録情報が無いと判別したときには、制御部１は、そのままこの処理ルーチンを抜ける。
【００７１】
また、ステップＳ２０３で、不在記録情報があると判別したときには、制御部１は、電子メールの受信時表示の設定が「オン」であるか「オフ」であるかを判別する（ステップＳ２０４）。このステップＳ２０４で、電子メールの受信時表示の設定が「オフ」であると判別すると、制御部１は、そのままこの処理ルーチンを抜ける。
【００７２】
また、ステップＳ２０４で、電子メールの受信時表示の設定が「オン」であると判別すると、制御部１は、受信メールの格納先のフォルダは、ロックされているか否か判別し（ステップＳ２０５）、ロックされていると判別したときには、制御部１は、そのままこの処理ルーチンを抜ける。
【００７３】
また、ステップＳ２０５で、受信メールの格納先のフォルダは、ロックされていないと判別したときには、制御部１は、メモリ部６に格納されている受信した電子メールの内容を、ピクト表示エリア１３１を用いて表示するようにする（ステップＳ２０６）。そして、ピクト表示エリア１３１への表示を終了すると、この処理ルーチンを終了する。
【００７４】
［ピクト表示エリアにおける電子メールの内容表示処理］
図７に、ピクト表示エリア１３１における表示制御処理の一例のフローチャートを示す。この図７の処理ルーチンは、制御部１および表示制御部５に基づく表示部１３の表示画面上での表示制御処理のうちの、ピクト表示エリア１３１についての表示制御のみを抽出して示したものである。ここで、この例では、ピクト表示エリア１３１への表示対象となる電子メールの内容は、前述と同様に、電子メール本文のみではなく、電子メールの差出人、件名を含むものである。
【００７５】
待ち受け状態や、その他の使用状態（電子メールの受信時および不在記録情報があるときにユーザが何等かの操作をしたときを除く）においては、制御部１は、ピクト表示エリアには、図２に示したような、電池残量ピクト表示２１、電解強度ピクト表示２２、メモリカード装填ピクト表示２３、日時ピクト表示２４などのピクト表示のそれぞれを表示する通常ピクト表示を行なう（ステップＳ３０１）。
【００７６】
そして、制御部１は、ピクト表示エリア１３１に電子メールの内容を表示するタイミングになったか否か、すなわち、図５のステップＳ１１４を実行するタイミングになったか否か、また、図６のステップＳ２０５を実行するタイミングになったか否かを判別し（ステップＳ３０２）、ピクト表示エリア１３１に電子メールの内容を表示するタイミングになっていなければ、ステップＳ３０１に戻って通常ピクト表示に戻る。
【００７７】
ステップＳ３０２において、ピクト表示エリア１３１に電子メールの内容を表示するタイミングになったと判別したときには、制御部１は、電子メールの差出人、件名、本文の順に、ピクト表示エリア１３１にスクロール表示する（ステップＳ３０３）。すなわち、まず、図８に示すように、ピクト表示エリア１３１に、差出人の表示３１および件名の表示が開始される。差出人の表示３１は、この例では「Ｆｒｏｍ  ○○○○」と表示される。件名の表示３２は、この例では、「Ｓｕｂ  ×××××」のように表示される。
【００７８】
そして、ピクト表示エリア１３１の表示内容は、この図８の電子メールの差出人および件名の表示から横スクロールが開始して、図９に示すように、電子メール本文の最後まで、横スクロールされて表示される。そして、この際に、図９に示すように、ピクト表示エリア１３１に通常時に表示されるピクト表示が、スクロールされる電子メールの内容に挿入されて表示される。図９の例では、通常時に表示されるピクト表示のうちの日時ピクト表示２４が、スクロールされる電子メールの内容に挿入される。
【００７９】
図９にも示されるように、日時ピクト表示２４の日時情報は、１分ごとに更新され、かつ、正時になると、図９で網掛けを付して示すように、通常の日時ピクト表示とは異なって、正時であることを強調する態様で、スクロールされる電子メールの内容に挿入されて表示される。ここで、正時になったときの日時ピクト表示２４を強調する態様としては、フラッシュする、点滅する、色を変える、などの態様が挙げられる。なお、通常ピクト表示においても、毎正時のときに、同様の強調表示態様にするとよい。
【００８０】
このような表示制御のために、制御部１は、１通の電子メールの内容のすべての表示を終了したか否か判別し（ステップＳ３０４）、終了していないと判別したときには、１分経過したか否か判別する（ステップＳ３０５）。ステップＳ３０５で、１分経過していないと判別したときには、ステップＳ３０３に戻って、通常ピクト表示エリア１３１に表示するピクト表示を挿入した電子メールの内容のスクロール表示を継続する。
【００８１】
また、ステップＳ３０５で、１分経過したと判別すると、制御部１は、電子メールの内容のスクロール中に挿入する日時ピクト表示の日時情報を更新する（ステップＳ３０６）。そして、更新した日時は、正時であるか否か判別し（ステップＳ３０７）、正時でなければ、ステップＳ３０３に戻って、通常ピクト表示エリア１３１に表示するピクト表示２４を挿入した電子メールの内容のスクロール表示を継続する。
【００８２】
また、ステップＳ３０７で、日時が正時であると判別したときには、前述したように、スクロール表示中に挿入するピクト表示２４を、日時が正時であることを強調表示する態様にする（ステップＳ３０８）。そして、ステップＳ３０３に戻り、ピクト表示２４を挿入した電子メールの内容のスクロール表示を継続する。
【００８３】
そして、ステップＳ３０４において、１通の電子メールの内容のすべての表示を終了したと判別したときには、制御部１は、他に、ピクト表示エリア１３１に表示すべき受信メールがあるか否か判別する（ステップＳ３０９）。
【００８４】
他に、ピクト表示エリア１３１に表示すべき受信メールがあるときとは、複数の電子メールをほぼ同時に受け取ったり、ある電子メールを受け取って、ピクト表示エリア１３１に表示している最中に、他の電子メールを受信したりしたときであり、また、不在記録の電子メールが複数個あるときである。
【００８５】
ステップＳ３０９で、他にピクト表示エリア１３１に表示すべき受信メールが無いと判別したときには、制御部１は、ステップＳ３０１に戻り、通常ピクト表示の状態に戻る。
【００８６】
また、ステップＳ３０９で、他にピクト表示エリア１３１に表示すべき受信メールが有ると判別したときには、一定時間、通常ピクト表示をピクト表示エリア１３１に行い（ステップＳ３１０）、その後、ステップＳ３０３に戻り、ピクト表示２４を挿入した電子メールの内容のスクロール表示を開始し、このステップＳ３０３以降の処理を繰り返す。
【００８７】
ステップＳ３１０は、ピクト表示エリア１３１が、電子メールの内容表示のために長時間取られてしまって、通常ピクト表示が長時間されなくなってしまうのを防止するためと、ある電子メールと他の電子メールとの間をユーザに明示的に報知するために設けられている。なお、このステップＳ３１０においては、この実施形態では、電子メールの内容のスクロール中に挿入していないピクト表示をも含め、通常表示されるピクト表示のすべてを表示するようにするものである。
【００８８】
なお、以上の説明においては、電子メールの内容のスクロール表示中に挿入するピクト表示は、通常ピクトエリア１３１に表示される複数個のピクト表示のうちの一つとしたが、通常ピクト表示エリア１３１に表示される複数個のピクト表示のそれぞれを、順次に、所定間隔ごとに、スクロールされる電子メールの内容中に挿入しても良い。また、通常ピクト表示されるすべてのピクト表示のうちから選択した１個または複数個のピクト表示を、順次に、所定間隔を空けて挿入しても勿論よい。また、ピクト表示の一つずつを所定間隔を空けて、挿入するのではなく、複数個のピクト表示をまとめて、挿入するようにしてももちろん良い。
【００８９】
以上のようにして、この実施形態によれば、受信した電子メールの内容をピクト表示エリア１３１にスクロールして表示するようにしたので、表示画面を効率良く使用することができる。しかも、そのピクト表示エリアに通常表示されているピクト表示は、ピクト表示エリア１３１に表示する電子メールのスクロール表示中に挿入して表示するようにするので、当該ピクト表示が、電子メールの内容表示が終わるまで、表示されなくなってしまうという事態を回避することができる。
【００９０】
また、上述の実施形態では、ユーザが携帯電話端末を使用中である判断できるような状態のときに、ピクト表示エリア１３１を用いた電子メールの内容表示をするので、ユーザは、受信した新規電子メールの内容を何等の操作をせずに、確認することができ、便利であると共に、ユーザが見ていない、あるいは見ることができないときにピクト表示エリア１３１に表示してしまうという無駄がない。
【００９１】
［他の実施形態］
以上の実施形態は、ユーザに報知するために表示すべき情報として、電子メールの内容を、ピクト表示エリア１３１に表示するようにした場合であるが、ピクト表示エリア１３１に表示してユーザに報知するために表示すべき情報としては、これに限られるものではない。
【００９２】
例えば、この実施形態では、ＦＭラジオ放送を受信することができ、図３に示すように、ピクト表示エリア１３１には、起動中の機能がラジオ受信機能であることを示す「ＦＭ」受信表示２５と、受信周波数表示２６とが、ピクト表示として表示されるが、これらをスクロール表示すると共に、通常ピクト表示エリア１３１に表示されるピクト表示２１，２２，２３，２４を、そのスクロール表示中に挿入して表示するようにしてもよい。
【００９３】
また、上述の実施形態の携帯電話端末１０が、例えばメモリカードに記録されているオーディオデータを再生する音楽再生機能を備えている場合において、再生中の音楽のタイトル、アーティスト名、アルバム名などを、ピクト表示エリア１３１にスクロール表示すると共に、通常、ピクト表示エリア１３１に表示されるピクト表示２１，２２，２３，２４を、そのスクロール表示中に、上述の実施形態と同様にして、挿入して表示するようにしてもよい。
【００９４】
［その他の変形例］
上述の実施形態では、電子メールの受信時に、ユーザ操作がなく、かつ、ユーザ使用中で無いと判別したときに、ピクト表示エリア１３１に受信電子メールの内容の表示を行なわない代わりに、不在記録をするようにしたが、ピクト表示エリア１３１に受信電子メールの内容の表示を行なったときにも、不在記録をするようにしてもよい。
【００９５】
また、上述の実施形態では、電子メールの振り分け設定がされ、かつ、振り分け先のフォルダのセキュリティについてロックがかかっているときには、ピクト表示エリア１３１には何も表示しないようにしたが、ピクト表示エリア１３１に、そのセキュリティについてロックがかかっている電子メールの受信をユーザに報せる表示を行うようにしても良い。
【００９６】
また、上述の実施形態では、ピクト表示は、電子メールなどの情報のピクト表示エリア１３１へのスクロール表示中に挿入して、一緒にスクロールするようにしたが、ピクト表示は、所定の位置に固定的に表示しておき、ピクト表示エリア中の、その固定的なピクト表示の部分を除く部分のみに、電子メールの内容などをスクロール表示するようにしてもよい。
【００９７】
なお、ピクト表示エリアに表示する電子メールの内容などが短く、ピクト表示エリアに１度に表示することができる場合には、スクロールすることなく、表示されることは言うまでもない。
【図面の簡単な説明】
【００９８】
【図１】この発明による携帯電話端末の実施形態のブロック図である。
【図２】実施形態の携帯電話端末の表示画面における表示例を示す図である。
【図３】実施形態の携帯電話端末の表示画面における表示例を示す図である。
【図４】実施形態の携帯電話端末における電子メール受信時の処理動作例を説明するためのフローチャートの一部を示す図である。
【図５】実施形態の携帯電話端末における電子メール受信時の処理動作例を説明するためのフローチャートの一部を示す図である。
【図６】実施形態の携帯電話端末における電子メールの不在記録に対応する処理動作例を説明するためのフローチャートである。
【図７】実施形態の携帯電話端末の表示画面のピクト表示エリアにおける表示制御処理動作例を説明するためのフローチャートである。
【図８】実施形態の携帯電話端末の表示画面における表示例を示す図である。
【図９】実施形態の携帯電話端末の表示画面のピクト表示エリアにおける表示例を説明するための図である。
【符号の説明】
【００９９】
１…制御部、２…通信部、４…操作部、５…表示制御部、６…メモリ部、９…時計部、１０…携帯電話端末、１３…表示部
【図１】
2008042698.tif 000003
【図２】
2008042698.tif 000004
【図３】
2008042698.tif 000005
【図４】
2008042698.tif 000006
【図５】
2008042698.tif 000007
【図６】
2008042698.tif 000008
【図７】
2008042698.tif 000009
【図８】
2008042698.tif 000010
【図９】
2008042698.tif 000011